(57)【要約】      （修正有）【課題】太陽電池モジュールの枠体と固定部材との導通性を確保しつつ、太陽電池モジュールをずれることなく確実に支持固定する。【解決手段】太陽電池モジュールと固定具３０とからなる太陽電池モジュールの固定構造であって、太陽電池本体２の周縁部が長辺側枠片１０と短辺側枠片とを連結した枠体によって保持されており、長辺側枠片１０の外側面には、内側面に向かって凹んだ係合凹部１５が形成され、固定具３０は、脚部３１から垂直に立設された支持部の先端部に、係合凹部１５に係合される係合突起部３３ａ，３３ｂを備えており、係合凹部１５は、外側面から内側面に向かって下方に傾斜するように形成され、係合突起部３３ａ，３３ｂは、支持部の先端部から横方向に向かって下方に傾斜するように形成されている。【選択図】図９
2013163951.tif 000002
【特許請求の範囲】
【請求項１】
太陽電池モジュールと、前記太陽電池モジュールを載置面上に載置固定する固定具とからなる太陽電池モジュールの固定構造であって、
前記太陽電池モジュール本体は枠体によって保持されており、
前記枠体の外側面には、前記太陽電池モジュール本体側である内側面側に向かって凹んだ係合凹部が形成され、
前記固定具は、前記載置面に載置固定されて前記枠体の底面を支持する脚部と、前記脚部から垂直に立設された支持部と、前記支持部の先端部に設けられた前記係合凹部に係合される係合突起部とを備え、
前記係合凹部は、前記外側面から前記内側面に向かって下方に傾斜するように形成され、
前記係合突起部は、前記支持部の先端部から横方向に向かって下方に傾斜するように形成されていることを特徴とする太陽電池モジュールの固定構造。
【請求項２】
請求項１に記載の太陽電池モジュールの固定構造であって、
前記係合突起部は、前記支持部の先端部から両横方向に向かってそれぞれ下方に傾斜するように形成されており、
一方の太陽電池モジュールの前記枠体に形成された前記係合凹部に前記固定具の前記一方の係合突起部が係合され、他方の太陽電池モジュールの前記枠体に形成された前記係合凹部に前記固定具の前記他方の係合突起部が係合されることを特徴とする太陽電池モジュールの固定構造。
【請求項３】
請求項２に記載の太陽電池モジュールの固定構造であって、
前記両係合突起部に前記各枠体の前記係合凹部をそれぞれ係合した状態において、前記両枠体の前記係合凹部より上側の外側面同士が当接し、前記係合凹部より下側の外側面が前記支持部の側面に当接することを特徴とする太陽電池モジュールの固定構造。
【請求項４】
請求項１から請求項３までのいずれか１項に記載の太陽電池モジュールの固定構造であって、
前記脚部に係止突起片が設けられていることを特徴とする太陽電池モジュールの固定構造。
【請求項５】
請求項４に記載の太陽電池モジュールの固定構造であって、
前記係止突起片は、前記脚部の先端部を前記支持部側に折り返した構造とされていることを特徴とする太陽電池モジュールの固定構造。
【請求項６】
請求項４に記載の太陽電池モジュールの固定構造であって、
前記係止突起片は、前記脚部の先端部を前記支持部側に向かって下方に傾斜するように折り返した構造とされていることを特徴とする太陽電池モジュールの固定構造。
【請求項７】
請求項１から請求項６までのいずれか１項に記載の太陽電池モジュールの固定構造であって、
前記固定具は、前記脚部と、前記支持部及び前記係合突起部との２部材で構成されていることを特徴とする太陽電池モジュールの固定構造。
【請求項８】
請求項１から請求項７までのいずれか１項に記載の太陽電池モジュールの固定構造であって、
前記脚部には、前記載置面に固定するための固定部材を挿通する挿通孔が形成され、前記挿通孔は、前記横方向に長い長孔に形成されていることを特徴とする太陽電池モジュールの固定構造。
【請求項９】
矩形状の太陽電池モジュール本体が枠体によって保持された太陽電池モジュールを固定具を用いて載置面上に載置固定する太陽電池モジュールの固定方法であって、
前記枠体の外側面には、前記外側面側から前記太陽電池モジュール側である内側面に向かって下方に傾斜するように凹んだ係合凹部が形成され、前記固定具は、前記載置面に載置固定されて前記枠体の底面を支持する脚部と、前記脚部から垂直に立設された支持部と、前記支持部の先端部から両横方向に向かってそれぞれ下方に傾斜するように形成された前記係合凹部に係合される係合突起部とを備えた構成とされており、
一方の太陽電池モジュールの前記枠体に形成された前記係合凹部に、前記固定具の一方の係合突起部を係合する工程と、
前記一方の太陽電池モジュール及び前記固定具を前記載置面に設置する工程と、
前記固定具の前記脚部を固定部材を用いて前記載置面に固定する工程と、
前記固定具の他方の係合突起部に、他の太陽電池モジュールの前記枠体に形成された前記係合凹部を係合して、前記他の太陽電池モジュールを前記載置面に載置する工程と、を含むことを特徴とする太陽電池モジュールの固定方法。
【発明の詳細な説明】
【技術分野】
【０００１】
本発明は、太陽電池モジュールと、太陽電池モジュールを載置面上に載置固定する固定具とからなる太陽電池モジュールの固定構造及び固定方法に関する。
【背景技術】
【０００２】
従来、太陽電池モジュールの施工方法として、固定部材を用いて架台に固定する方法が提案されている（例えば、特許文献１参照）。
【０００３】
特許文献１に記載の施工方法に用いられる太陽電池モジュールの枠体と固定部材とは、図１７に示す構成となっている。
【０００４】
すなわち、太陽電池モジュールの枠体１０１は、枠体の外側面より内側面に向かってコ字状に形成された凹部（接合部）１１０を備えており、固定部材１０３は、台座部１１４より上方へ延びる軸の上端部が両横方向に延びた被接合部１１１を備えた構成とされている。
【０００５】
そして、一方の太陽電池モジュールの枠体１０１の接合部１１０を固定部材１０３の一方の被接合部１１１に横方向から嵌め合わせ、他方の太陽電池モジュールの枠体１０１の接合部１１０を固定部材１０３の他方の被接合部１１１に横方向から嵌め合わせることで、固定部材１０３を用いて太陽電池モジュールを屋根材１３０等の架台上に固定している。
【先行技術文献】
【特許文献】
【０００６】
【特許文献１】特開２００９−１６７７９３号公報
【発明の概要】
【発明が解決しようとする課題】
【０００７】
ところで、雷等が太陽電池モジュールに落ちたとき、太陽電池セルの破壊を防止するため、太陽電池モジュールから架台に電流を逃がす必要がある。そのため、太陽電池モジュールの枠体と固定部材との間には十分な導通性が求められている。
【０００８】
しかし、上記従来技術では、枠体１０１の接合部１１０を固定部材１０３の被接合部１１１に横方向から嵌め合わせており、枠体１０１自体は、その底面を固定部材１０３の台座部１１４に載置する形で支持される。そのため、枠体１０１の接合部１１０と固定部材１０３の被接合部１１１とは強固な接合構造とはならず、接触が不十分になる可能性があり、十分な導通が得られないといった問題があった。
【０００９】
本発明はかかる問題点を解決すべく創案されたもので、その目的は、太陽電池モジュールの枠体と固定部材との導通性を確保しつつ、太陽電池モジュールをずれることなく支持固定することのできる太陽電池モジュールの固定構造及び固定方法を提供することにある。
【課題を解決するための手段】
【００１０】
上記課題を解決するため、本発明に係る太陽電池モジュールの固定構造は、太陽電池モジュールと、前記太陽電池モジュールを載置面上に載置固定する固定具とからなる太陽電池モジュールの固定構造であって、前記太陽電池モジュールは、矩形状の太陽電池モジュール本体が枠体によって保持されており、前記枠体の外側面には、前記太陽電池モジュール側である内側面に向かって凹んだ係合凹部が形成され、前記固定具は、前記載置面に載置固定されて前記枠体の底面を支持する脚部と、前記脚部から垂直に立設された支持部と、前記支持部の先端部に設けられた前記係合凹部に係合される係合突起部とを備え、前記係合凹部は、前記外側面から前記内側面に向かって下方に傾斜するように形成され、前記係合突起部は、前記支持部の先端部から横方向に向かって下方に傾斜するように形成されていることを特徴としている。
【００１１】
上記固定構造によれば、係合凹部と係合突起部とを下方に傾斜させて設けているので、枠体の底面が固定具の脚部に載置されて支持された状態で、枠体の係合凹部が固定具の係合突起部に押し付けるように引っかかる構造となる。これにより、固定具の係合突起部と枠体の係合凹部とを密に接触させることができ、枠体を固定具を介してアース電位に安定して導通させることができる。
【００１２】
また、本発明に係る太陽電池モジュールの固定構造によれば、前記係合突起部は、前記支持部の先端部から両横方向に向かってそれぞれ下方に傾斜するように形成されており、一方の太陽電池モジュールの前記枠体に形成された前記係合凹部に前記固定具の前記一方の係合突起部が係合され、他方の太陽電池モジュールの前
記枠体に形成された前記係合凹部に前記固定具の前記他方の係合突起部が係合される構成としている。
【００１３】
このように、一方の係合突起部に一方の枠体の係合凹部を嵌め合わせて係合し、他方の係合突起部に他方の枠体の係合凹部を嵌め合わせて係合することで、隣接配置される太陽電池モジュール、すなわち隣接配置された枠体を受光面側からみた状態でほとんど隙間なく密に配置することができる。
【００１４】
また、本発明に太陽電池モジュールの固定構造によれば、前記両係合突起部に前記各枠体の前記係合凹部をそれぞれ係合した状態において、前記両枠体の前記係合凹部より上側の外側面同士が当接し、前記係合凹部より下側の外側面が前記支持部の側面に当接する構成としている。この構成により、隣接配置される太陽電池モジュール、すなわち隣接配置された枠体を受光面側からみた状態で隙間なく密に配置することが可能である。
【００１５】
また、本発明に係る太陽電池モジュールの固定構造によれば、前記脚部に前記枠体の底面側の縁部を係止する係止突起片が設けられた構成としている。この構成により、固定具は、係合突起部と係止突起片とで太陽電池モジュールの枠体を２箇所で固定できるので、枠体を安定して支持固定することができる。
【００１６】
また、本発明に係る太陽電池モジュールの固定構造によれば、前記係止突起片は、前記脚部の先端部を前記支持部側に折り返した構造とされている。このように、係合突起片を折り返し構造とすることで、太陽電池モジュールを屋根に載置したとき、軒先側から棟側に吹き上げる風による太陽電池モジュールの浮き上がりを防止することができる。
【００１７】
また、本発明に係る太陽電池モジュールの固定構造によれば、前記係止突起片は、前記脚部の先端部を前記支持部側に向かって下方に傾斜するように折り返した構造とされている。このように、係合突起片を支持部側に向かって下方に傾斜するように折り返した構造（いわゆる、スパイク形状）とすることで、太陽電池モジュールを屋根に載置したとき、軒先側から棟側に吹き上げる風による太陽電池モジュールの浮き上がりを防止することができる。また、このような折り返し構造とすることで、固定具と枠体とが局所的に接し、この部分での導通を良くすることができる。
【００１８】
また、本発明に係る太陽電池モジュールの固定構造によれば、前記固定具は、前記脚部と、前記支持部及び前記係合突起部との２部材で構成されている。このように、固定具を、脚部と、支持部及び係合突起部との２部材で構成することで、複雑な形状の固定具を比較的単純な形状の部材に分割できるので、固定具の加工が容易となる。
【００１９】
また、本発明に係る太陽電池モジュールの固定構造によれば、前記脚部には、前記載置面に固定するための固定部材を挿通する挿通孔が形成され、前記挿通孔は、前記横方向に長い長孔に形成された構成としている。
【００２０】
このように、挿通孔を長孔に形成することで、太陽電池モジュールの枠体の係合凹部に固定具の係合突起部を係合して固定具を載置面に載置し、固定部材の挿通孔に固定部材を挿通して載置面に仮固定した状態で、固定具を枠体から離れる方向に引っ張ることで、係合凹部と係合突起部とを緊密に接触させて、より強固に固定することができる。
【００２１】
また、本発明に係る太陽電池モジュールの固定方法は、矩形状の太陽電池モジュール本体が枠体によって保持された太陽電池モジュールを固定具を用いて載置面上に載置固定する太陽電池モジュールの固定方法であって、前記枠体の外側面には、前記外側面側から前記太陽電池モジュール側である内側面に向かって下方に傾斜するように凹んだ係合凹部が形成され、前記固定具は、前記載置面に載置固定されて前記枠体の底面を支持する脚部と、前記脚部から垂直に立設された支持部と、前記支持部の先端部から両横方向に向かってそれぞれ下方に傾斜するように形成された前記係合凹部に係合される係合突起部とを備えた構成とされており、一方の太陽電池モジュールの前記枠体に形成された前記係合凹部に、前記固定具の一方の係合突起部を係合する工程と、前記一方の太陽電池モジュール及び前記固定具を前記載置面に設置する工程と、前記固定具の前記脚部を固定部材を用いて前記載置面に固定する工程と、前記固定具の他方の係合突起部に、他の太陽電池モジュールの前記枠体に形成された前記係合凹部を係合して、前記他の太陽電池モジュールを前記載置面に載置する工程と、を含むことを特徴としている。
【００２２】
本発明の固定方法によれば、係合凹部と係合突起部とを下方に傾斜させて設けているので、枠体の係合凹部を固定具の係合突起部に押し付けるように引っかけることができるため、固定具の係合突起部と枠体の係合凹部とを密に接触させた状態で太陽電池モジュールを傾斜方向に隣接載置することができる。
【発明の効果】
【００２３】
本発明によれば、係合凹部と係合突起部とを下方に傾斜させて設けているので、枠体の底面が固定具の脚部に載置されて支持された状態で、枠体の係合凹部が固定具の係合突起部に押し付けるように引っかかる構造となる。これにより、固定具の係合突起部と枠体の係合凹部とを密に接触させることができ、枠体と固定具との間に十分な導通性を確保しつつ、太陽電池モジュールをずれることなく支持固定することが可能となる。
【図面の簡単な説明】
【００２４】
【図１】本実施形態に係る枠体を備えた太陽電池モジュールの全体構成を示す斜視図である。
【図２】図１のＡ−Ａ線断面図である。
【図３】図１のＢ−Ｂ線断面図である。
【図４】長辺側枠片の断面図である。
【図５】短辺側枠片の断面図である。
【図６】図１におけるＣ部分を矢符ｃ１方向から見た分解斜視図である。
【図７】太陽電池モジュールを屋根上に敷設した状態を示す斜視図であり、図中左下側が軒側、右上側が棟側である。
【図８】固定具の斜視図である。
【図９】図７のＤ−Ｄ線断面図である。
【図１０】固定具の他の構成例１を示す側面図である。
【図１１】固定具の他の構成例２を示す側面図である。
【図１２】固定具の他の構成例３を示す側面図である。
【図１３】固定具の他の構成例４を示す側面図である。
【図１４】固定具の他の構成例５を示す側面図である。
【図１５】固定具の他の構成例６を示す側面図である。
【図１６】長辺側枠片の他の構成例を示す断面図である。
【図１７】太陽電池モジュールの枠体と固定部材とを用いた従来の固定構造の一例を示す断面図である。
【発明を実施するための形態】
【００２５】
以下、本発明の実施の形態について、図面を参照して説明する。
【００２６】
図１は、本実施形態に係る枠体を備えた太陽電池モジュールの全体構成を示す斜視図、図２は、図１のＡ−Ａ線断面図、図３は、図１のＢ−Ｂ線断面図である。
【００２７】
図１に示すように、本実施形態の太陽電池モジュール１は、太陽電池モジュール本体２と、太陽電池モジュール本体２の周縁部を保持する枠体３とで構成されている。
【００２８】
本実施形態では、太陽電池モジュール本体２を構成する太陽電池の種類は特に限定されるものではなく、例えば、単結晶系シリコン太陽電池、多結晶系シリコン太陽電池、薄膜系シリコン太陽電池等のシリコン系太陽電池の他、化合物系太陽電池、有機系太陽電池を挙げることができる。
【００２９】
枠体３は、太陽電池モジュール本体２の周縁部を保持する長尺状の４つの枠片で構成されており、太陽電池モジュール本体２の長辺側を保持する長尺状の一対の長辺側枠片１０と、太陽電池モジュール本体２の短辺側を保持する長尺状の一対の短辺側枠片２０とで構成されている。
【００３０】
各枠片１０，２０は、アルミニウムの押出加工によりそれぞれ成形されている。長辺側枠片１０は、太陽電池モジュール本体２における住宅軒側に位置する縁部と住宅棟側に位置する縁部とをそれぞれ保持している。また、短辺側枠片２０は、太陽電池モジュール本体２の短辺側である左右両側縁部をそれぞれ保持すると共に、その両端部を、各長辺側枠片１０の両端部に連結している。
【００３１】
なお、太陽電池モジュール本体２を屋根の傾斜に沿って縦長に配置する場合には、短辺側枠片２０が太陽電池モジュール本体２における住宅軒側に位置する縁部と住宅棟側に位置する縁部とをそれぞれ保持することになる。
【００３２】
次に、これら各枠片１０，２０の構成について説明する。
【００３３】
図４は、長辺側枠片１０の断面図、図５は、短辺側枠片２０の断面図である。また、図６は、図１におけるＣ部分を矢符ｃ１方向から見た分解斜視図である。
【００３４】
＜長辺側枠片１０の説明＞
図２及び図４に示すように、長辺側枠片１０は、矩形の閉断面を有する本体部１１を備え、この本体部１１の上面の外側端（図４では左端）から上方に延びた後、内側（図４中右側）へ折り曲げられて成る延長屈曲片１２が設けられている。これにより、本体部１１の上面１１ａとの間で太陽電池モジュール本体２の長辺側縁部を嵌め込む嵌合溝部１３が形成されている。また、本体部１１の下面１１ｂの内側端（図４中右側端）には、図４中右方向に水平に延設されたリブ片１４が設けられている。このリブ片１４は、枠体３を架台に載置するときの固定片や係止片となる部分であるが、これについては後述する。
【００３５】
また、本体部１１の外壁１１ｃには、対向する内壁１１ｄ側に向かって凹んだ係合凹部１５が形成されている。この係合凹部１５は、外壁１１ｃ側から内壁１１ｄ側に向かって下方に傾斜するように形成されている。
【００３６】
また、本体部１１の外壁１１ｃは、係合凹部１５より上側の外壁１１ｃ１に対して、係合凹部１５より下側の外壁１１ｃ２が、内壁１１ｄ側に１段凹んだ状態となっている。
【００３７】
また、外壁１１ｃの内面（図４では左側の内側面）には、係合凹部１５を介して上下に所定の間隔を存して一対のネジホール部１７が設けられている。ネジホール部１７は、断面Ｃ字状に形成されているが、断面が完全な円筒形状であってもよい。
【００３８】
＜短辺側枠片２０の説明＞
図３及び図５に示すように、短辺側枠片２０は、矩形の閉断面を有する本体部２１を備え、この本体部２１の上面の外側端（図５では左端）から上方に延びた後、内側（図５中右側）へ折り曲げられて成る延長屈曲片２２が設けられている。これにより、本体部２１の上面２１ａと延長屈曲片２２の延長水平部２２ａとの間で太陽電池モジュール本体２の短辺側縁部を嵌め込む嵌合溝部２３が形成されている。また、本体部２１の下面２１ｂの内側端（図５中右側端）には、図５中右方向に水平に延設されたリブ片２４が設けられている。
【００３９】
以上が、長辺側枠片１０及び短辺側枠片２０の説明である。
【００４０】
上記構成の各枠片１０，２０を用いて、太陽電池モジュール１を次のように組み立てる。
【００４１】
まず、太陽電池モジュール本体２の周端部に、図示しない端面封止部材が嵌め込まれる。この端面封止部材は、太陽電池モジュール本体２の端部の外形に沿って形成された枠形状をしており、例えばエラストマー樹脂により形成されている。そして、この端面封止部材が嵌め込まれた太陽電池モジュール本体２の周端部のうち、長辺側の対向する縁部に、長辺側枠片１０の嵌合溝部１３をそれぞれ嵌め込み（図２参照）、短辺側の対向する縁部に、短辺側枠片２０の嵌合溝部２３をそれぞれ嵌め込む（図３参照）。
【００４２】
そして、図６に示すように、長辺側枠片１０の端部と、短辺側枠片２０の端部に設けられた取付片２６とを対峙させ、取付片２６の外側からネジ部材５０をネジ穴２７を通して対峙する長辺側枠片１０の各ネジホール部１７にねじ込む。因みに、取付辺２６の幅は、長辺側枠片１０の端面の幅、すなわち本体部１１の幅と一致するように設けられている。
【００４３】
これにより、図１に示すように、太陽電池モジュール本体２の周縁部が２つの長辺側枠片１０と２つの短辺側枠片２０とによって保持される。
【００４４】
このようにして組み立てられた太陽電池モジュール１を、本実施形態では後述する固定具３０を用いて架台上（本実施形態では屋根上）に順次敷設していく。
【００４５】
図７は、太陽電池モジュール１を屋根上に敷設した状態を示す斜視図であり、図中左下側が軒側、右上側が棟側である。なお、図７では、隣接して敷設された２つの太陽電池モジュール１のみを図示している。また、図８は、固定具３０の斜視図であり、図９は、図７のＤ−Ｄ線断面図である。
【００４６】
＜固定具３０の説明＞
固定具３０は、図８に示すように、例えば屋根上の載置面に載置固定されて長辺側枠片１０の下面（底面）１１ｃを支持する脚部３１と、脚部３１の幅方向の略中央部から垂直に立設された支持部３２と、支持部３２の先端部に設けられた係合突起部３３ａ，３３ｂとを備えて構成されている。係合突起部３３ａ，３３ｂは長辺側枠片１０の係合凹部１５に係合される突起部であり、支持部３２の先端部から両横方向に向かってかつ下方に傾斜するように形成されている。すなわち、支持部３２と係合突起部３３ａ，３３ｂとは、側面視矢印形状（若しくは、スパイク形状等）に形成されている。係合が安定するように、係合突起部３３ａ，３３ｂの表面に凹凸が形成されていてもよい。
【００４７】
このように、長辺側枠片１０の係合凹部１５と固定具３０の係合突起部３３ａ，３３ｂとを下方に傾斜させて設けることで、長辺側枠片１０の係合凹部１５が固定具３０の係合突起部３３ａ，３３ｂに押し付けるように引っかかる構造となる。
これにより、固定具３０の係合突起部３３ａ，３３ｂと長辺側枠片１０の係合凹部１５とを密に接触させることができ、枠体３と固定具３０との間に十分な導通性を確保することができる。
【００４８】
また、支持部３２を介した一方の脚部（図８では右側の脚部）３１には、固定具３０を載置面に固定するためのビス等の固定部材を挿通するための挿通孔３４が設けられている。
【００４９】
なお、図８では、固定具３０は、所定長Ｌに形成された短い金具となっている。この構成の固定具３０では、長辺側枠片１０同士の支持固定に際して、長辺側枠片１０の長手方向に沿って２箇所若しくは３箇所に固定具３０を配置して支持固定することになる。一方、固定具３０の長さＬを、長辺側枠片１０の長さとほぼ同じ長さに形成してもよく、この場合には、１個の固定具３０で長辺側枠片１０のほぼ全長を一体に支持固定することができる。いずれにしても、固定具３０の長さＬは、載置面上への太陽電池モジュール１の設置作業の作業性を考慮して任意に決定すればよい。
【００５０】
次に、上記固定具３０を用いた２つの太陽電池モジュール１の固定構造及び固定方法について、図９を参照して説明する。
【００５１】
まず、軒側である左側の太陽電池モジュール１の長辺側枠片１０に形成された係合凹部１５に、固定具３０の左側の係合突起部３３ａを引っかけるようにして係合する。このとき、左側の長辺側枠片１０の下面１０ｂが、固定具３０の脚部３１の左側の上面３１ａに面接触するように当接する。これにより、傾斜した係合凹部１５と係合突起部３３ａとの引っかけ構造と、長辺側枠片１０の下面１０ｂと固定具３０の脚部３１の上面３１ａとの当接構造とにより、固定具３０を左側の太陽電池モジュール１の長辺側枠片１０に安定的に係合固定することができる。
【００５２】
この状態で、左側の太陽電池モジュール１を固定具３０とともに載置面４５に載置し、この状態で、固定具３０の挿通孔３４からビス等の固定部材４０を挿通して、載置面４５にねじ固定する。
【００５３】
ここで、載置面４５が野地坂である場合、野地坂を介して垂木にねじ固定することになり、載置面４５が横桟である場合、横桟にねじ固定することになる。載置面４５が横桟である場合とは、屋根上の傾斜方向に所定の間隔を存して横桟を配置し、またはこの横桟に縦桟を組み合わせて配置し、傾斜方向に隣接する横桟に太陽電池モジュール１の長辺側枠片１０を固定具３０とともに載置する場合である。
【００５４】
次に、固定具３０の右側の係合突起部３３ｂに、右側に配置される太陽電池モジュール１の長辺側枠片１０に形成された係合凹部１５を引っかけるようにして係合する。このときの係合方法としては、載置面４５上に固定された固定具３０の右側の係合突起部３３ｂに、太陽電池モジュール１の対向する長辺側枠片１０の嵌合凹部１５を対向させ、太陽電池モジュール１の反対側（棟側）を少し上に持ち上げるようにして配置する。そして、この状態で、係合突起部３３ｂと嵌合凹部１５との係合部分を支点として、太陽電池モジュール１の全体を載置面４５に近づけるように回動させることにより、固定具３０の係合突起部３３ｂに長辺側枠片１０の嵌合凹部１５が引っかかるようにして強制的に係合して行く。そして、最終的に、長辺側枠片１０の下面１０ｂを、固定具３０の脚部３１の右側の上面３１ｂに面接触するように当接させる。これにより、係合突起部３３ｂと嵌合凹部１５とが強固かつ緊密に係合される。すなわち、傾斜した係合凹部１５と係合突起部３３ｂとの引っかけ構造と、長辺側枠片１０の下面１０ｂと固定具３０の脚部３１の上面３１ｂとの当接構造とにより、右側の太陽電池モジュール１の長辺側枠片１０を固定具３０に安定的かつ強固に係合固定することができる。
【００５５】
この場合、長辺側枠片１０の外壁１１ｃは、係合凹部１５より上側の外壁１１ｃ１に対して下側の外壁１１ｃ２が内壁１１ｄ側に１段凹んだ状態となっている。この凹み幅は、固定具３０の支持部３２の厚みよりやや狭い凹み幅となっている。これにより、左側の係合突起部３３ａに左側の長辺側枠片１０の係合凹部１５を嵌め合わせて係合させ、右側の係合突起部３３ｂに右側の長辺側枠片１０の係合凹部１５を嵌め合わせて係合させると、両長辺側枠片１０の上側の外側面１１ｃ１同士は若干の隙間を有し、下側の外側面１１ｃ２が固定具３０の支持部３２の側面にそれぞれ当接することになる。
【００５６】
このように、一方の係合突起部３３ａに一方の長辺側枠片１０の係合凹部１５を嵌め合わせて係合し、他方の係合突起部３３ｂに他方の長辺側枠片１０の係合凹部１５を嵌め合わせて係合することで、固定具３０の係合突起部３３a、３３ｂと左右の長辺側枠片１０の係合凹部１５とを密に接触させることができ、左右の太陽電池モジュールをずれることなく支持固定することが可能となる。
【００５７】
＜固定具の他の構成例の説明＞
図１０は、固定具の他の構成例１を示す側面図である。
【００５８】
構成例１の固定具３０ａは、支持部３２より左側の脚部３１の端部を垂直に立ち上げて係止突起片３５を形成したものである。この係止突起片３５は、右側の太陽電池モジュール１の長辺側枠片１０を固定具３０ａに係合固定したとき、長辺側枠片１０のリブ片１４の先端部を係止する（先端部が当接する）ように設けられている。この構成により、固定具３０ａは、係合突起部３３ａと係止突起片３５とによって太陽電池モジュール１の長辺側枠片１０を２箇所で固定できるので、長辺側枠片１０をより安定して支持固定することができる。
【００５９】
図１１は、固定具の他の構成例２を示す側面図である。
【００６０】
構成例２の固定具３０ｂは、支持部３２より左側の脚部３１の端部を垂直に立ち上げた第１係止片３６ａと、この第１係止片３６ａの先端部をさらに支持部３２側に水平に折り曲げて延設した第２係止片３６ｂとからなる鉤形の係止突起片３６を形成したものである。この係止突起片３６は、右側の太陽電池モジュール１の長辺側枠片１０を固定具３０ｂに係合固定したとき、左側の太陽電池モジュール１の長辺側枠片１０のリブ片１４の先端部が係止突起片３６に嵌まり込んで、リブ片１４の先端部上面が第２係止片３６ｂで押さえられる構成となっている。この構成により、固定具３０ｂは、係合突起部３３ａと係止突起片３６とによって太陽電池モジュール１の長辺側枠片１０を２箇所で固定できるので、長辺側枠片１０をより安定して支持固定することができる。さらに、係合突起片３６を折り返し構造とすることで、太陽電池モジュール１を屋根に載置したとき、風による太陽電池モジュール１の浮き上がりを確実に防止することができる。
【００６１】
図１２は、固定具の他の構成例３を示す側面図である。
【００６２】
構成例３の固定具３０ｃは、支持部３２より左側の脚部３１の端部を垂直に立ち上げた第１係止片３７ａと、この第１係止片３７ａの先端部をさらに支持部３２側に折り込んで延設した第２係止片３７ｂとからなる鉤形の係止突起片３７を形成したものである。
【００６３】
構成例３に示す係止突起片３７と構成例２に示す係止突起片３６との違いは、構成例２に示す係止突起片３６が第２係止片３６ｂを水平に折り曲げているのに対し、構成例３に示す係止突起片３７では第２係止片３７ｂを支持部３２側に向かって下方に傾斜するように折り曲げている点である。このように、係合突起片３７の第２係止片３７ｂを、支持部３２側に向かって下方に傾斜するように折り返した構造（いわゆる、スパイク形状）とすることで、太陽電池モジュール１を屋根に載置したとき、風による太陽電池モジュールの浮き上がりを確実に防止することができる。
また、このような折り返し構造とすることで、固定具３０ｃと長辺側枠片１０とが局所的に接し、この部分での導通性をより良くすることができる。
【００６４】
図１３は、固定具の他の構成例４を示す側面図である。
【００６５】
構成例４の固定具３０ｄは、図１２に示した構成例３の変形例であり、脚部３１を、長辺側枠片１０の下面１０ｂ及びリブ片１４の下面を支持する上面（支持面）３１ａから１段凹ませた構成とし、この凹み段部３１ｂの底面３１ｄ１に挿通孔３４を設けた構成としている。このように凹み段部３１ｂを設け、この凹み段部３１ｄ内にビス等の固定部材４０を挿通する挿通孔３４を設けることで、右側の長辺側枠片１０を固定具３０に係合固定するに際して、固定部材４０が邪魔になることがない。
【００６６】
なお、構成例４の固定具３０ｄは、構成例３の固定具３０ｃの変形例として示しているが、構成例１の固定具３０ａや構成例２の固定具３０ｂにも応用できることは当然である。
【００６７】
図１４は、固定具の他の構成例５を示す側面図である。
【００６８】
構成例５では、固定具３０ｅを、脚部３１と、係合突起部３３ａ，３３ｂを有する支持部３２との２部材で構成したものである。そのため、支持部３２には、その下端部から右方向に延設した固定片３２ａが形成されており、この固定片３２ａに、脚部３１の挿通孔３４に対向させて、ビス等の固定部材４０を挿通する挿通孔３２ａ１が形成されている。
【００６９】
また、挿通孔３４と反対側の脚部３１は、固定片３２ａの厚みと同じ分だけ上方に１段
屈曲させて、左側の長辺側枠片１０の下面１１ｂを受ける受け片３１ａとしている。これにより、左側の長辺側枠片１０を水平に支持することができる。上方に１段屈曲させる位置を、内壁１１ｄの下に持ってくることで、より支持を安定させることができる。
【００７０】
また、受け片３１ａの端部を垂直に立ち上げて第１係止片３８ａを形成し、この第１係止片３８ａの先端部をさらに支持部３２側に水平に折り曲げて第２係止片３８ｂを形成することで鉤形の係止突起片３８を形成している。この係止突起片３８は、右側の太陽電池モジュール１の長辺側枠片１０を固定具３０ｅに係合固定したとき、左側の太陽電池モジュール１の長辺側枠片１０のリブ片１４の先端部が係止突起片３８に嵌まり込んで、リブ片１４の先端部上面が第２係止片３８ｂで押さえられる構成となっている。この構成により、固定具３０ｅは、係合突起部３３ａと係止突起片３８とによって左側の太陽電池モジュール１の長辺側枠片１０を２箇所で固定できるので、長辺側枠片１０をより安定して支持固定することができる。また、係合突起片３８を折り返し構造とすることで、太陽電池モジュール１を屋根に載置したとき、風による太陽電池モジュール１の浮き上がりを確実に防止することができる。さらに、固定具３０ｅを２部材で構成することで、複雑な形状の固定具を比較的単純な形状の部材に分割できるので、固定具３０ｅの加工が容易となる。
【００７１】
図１５は、固定具の他の構成例６を示す側面図である。
【００７２】
構成例６の固定具３０ｆは、脚部３１に形成されている挿通孔３４を、脚部３１の幅方向（図１５では左右方向：すなわち、屋根上に設置後は軒側方向と棟側方向）に沿って長い長孔に形成したものである。このように、挿通孔３４を長孔に形成することで、太陽電池モジュール１の長辺側枠片１０の係合凹部１５に固定具３０ｆの左側の係合突起部３３ａを係合した状態で固定具３０ｆを屋根上に載置し、固定具３０ｆの脚部３１の挿通孔３４に固定部材４０を挿通して屋根上に仮固定した状態で、固定具３０ｆを長辺側枠片１０から離れる方向（図１５では右方向）に引っ張ることで、係合凹部１５と係合突起部３３ａとを緊密に接触させることができる。従って、この状態で固定部材４０を完全に締着ることにより、長辺側枠片１０と固定具３０とをより強固に固定することができる。
【００７３】
なお、構成例６の固定具３０ｆは、図１０に示す構成例１の固定具３０ａの変形例として図示しているが、構成例２の固定具３０ｂや構成例３の固定具３０ｃ、及び構成例４の固定具３０ｄにも応用できることは当然である。
【００７４】
なお、上記実施形態では、長辺側枠片１０を、矩形の閉断面を有する本体部１１を備えた構成としているが、本体部１１はこのような矩形の閉断面形状である必要はなく、例えば図１６に示すような、長尺状の単なる板体形状であってもよい。すなわち、長辺側枠片１０は、少なくとも嵌合凹部１５を形成する側面（図１６では板体形状の本体部１１）と底面（下面１１ｂ及びリブ片１４）とを備えていればよく、その他の部分の構成はどうような構成であってもよい。
【００７５】
また、上記実施形態では、載置面４５として屋根の野地板や屋根上に載置固定された横桟等を想定しているが、地面に載置固定された架台上に本発明に係る固定構造を適用して太陽電池モジュールを載置してもよいことは当然である。
【００７６】
なお、今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【００７７】
１  太陽電池モジュール
２  太陽電池モジュール本体
３  枠体
１０  長辺側枠片
１１  本体部
１１ａ  上面
１１ｂ  下面
１１ｃ  外壁（外側面）
１１ｃ１  上側の外壁
１１ｃ２  下側の外壁
１１ｄ  内壁（内側面）
１２  延長屈曲片
１２ａ  延長水平部
１３  嵌合溝部
１４  リブ片
１５  係合凹部
１７  ネジホール部
２０  短辺側枠片
２１  本体部
２１ａ  上面
２１ｂ  下面
２２  延長屈曲片
２３  嵌合溝部
２４  リブ片
２６  取付片
２７  ネジ穴
３０，３０ａ〜３０ｆ  固定具
３１  脚部
３１ａ，３１ｂ  上面
３２  支持部
３１ａ  上面（支持面）
３１ｂ  凹み段部
３１ｄ１  底面
３３ａ，３３ｂ  係合突起部
３２ａ１，３４  挿通孔
３５  係止突起片
３６，３７，３８  係止突起片
３６ａ，３７ａ，３８ａ  第１係止片
３６ｂ，３７ｂ，３８ｂ  第２係止片
４０  固定部材
４５  載置面
５０  ネジ部材
【図１】
2013163951.tif 000003
【図２】
2013163951.tif 000004
【図３】
2013163951.tif 000005
【図４】
2013163951.tif 000006
【図５】
2013163951.tif 000007
【図６】
2013163951.tif 000008
【図７】
2013163951.tif 000009
【図８】
2013163951.tif 000010
【図９】
2013163951.tif 000011
【図１０】
2013163951.tif 000012
【図１１】
2013163951.tif 000013
【図１２】
2013163951.tif 000014
【図１３】
2013163951.tif 000015
【図１４】
2013163951.tif 000016
【図１５】
2013163951.tif 000017
【図１６】
2013163951.tif 000018
【図１７】
2013163951.tif 000019